(57)【要約】【課題】少ない部品で、且つ高い位置精度で視野枠体を保持できるようにする。【解決手段】視野枠体１４をファインダ地板１だけで保持する。この際、ファインダ地板１の当接部１ｅ，１ｄ，１ｆにより、視野枠体１４の光軸方向への視野枠体１４の位置変動を規制する。さらに、さらに、視野枠体１４に形成された第２の開口部１４ｃ及び突起部１４ｂにより、光軸方向と直交する方向への視野枠体１４の位置変動を規制する。【選択図】図３
2010190983.tif 000002
【特許請求の範囲】
【請求項１】
被写体を反映した光が透過する対物光学系と、前記対物光学系で形成された倒立状態の被写体光像を正立像とする正立光学系と、前記正立像を拡大する接眼光学系と、前記接眼光学系により拡大された前記正立像を視認する視野を規定する視野枠体を有するファインダ装置において、
前記視野枠体は、当該視野枠体の一方の面が前記対物光学系の方向への位置変動が規制され、他方の面が前記正立光学系の方向への位置変動が規制される形で地板部材により保持されると共に、当該視野枠体は、視野枠用の開口部とは別の開口部を有し、当該別の開口部の面積が変化する形態で前記地板部材により保持されていることを特徴とするファインダ装置。
【請求項２】
前記別の開口部は、長孔の形状をなし、前記視野枠体に形成された突起部が前記地板部材と当接することにより面積が小さくなって弾性力をチャージすることを特徴とする請求項１に記載のファインダ装置。
【請求項３】
前記視野枠体は、前記対物光学系と正立光学系の間の位置で前記地板部材により保持されていることを特徴とする請求項１又は２に記載のファインダ装置。
【請求項４】
前記対物光学系は、前記視野枠体と共に前記地板部材により保持されていることを特徴とする請求項１〜３の何れか１項に記載のファインダ装置。
【請求項５】
前記正立光学系は、前記視野枠体と共に前記地板部材により保持されていることを特徴とする請求項１〜４の何れか１項に記載のファインダ装置。
【請求項６】
前記接眼光学系は、前記視野枠体と共に前記地板部材により保持されていることを特徴とする請求項１〜５の何れか１項に記載のファインダ装置。
【発明の詳細な説明】
【技術分野】
【０００１】
本発明は、ファインダ装置に関し、特に、機械的な視野枠を有するファインダ装置に関する。
【背景技術】
【０００２】
従来、コンパクトデジタルカメラに適用されるファインダ装置においては、そのファインダ装置の筐体内に、対物レンズ、光を屈折する複数のプリズム、及び接眼レンズが配置されている。
【０００３】
ファインダ装置では、被写体像を反映した光（以下、被写体光像という）は、対物レンズ、複数のプリズムを介して、接眼レンズの近傍に設けられた接眼部に導かれる。この際、ファインダ装置内に配置された機械的な視野枠体によって視野範囲が限定される。なお、機械的な視野枠を用いることなく、視野枠（枠線）を画像として表示する場合もある。
【０００４】
上記の視野枠体の保持方法としては、第１のプリズムを保持する保持枠と第２のプリズムを保持する保持枠とで、開口部が形成された弾性部材を介して狭持する方法が知られている（特許文献１参照）。
【先行技術文献】
【特許文献】
【０００５】
【特許文献１】特開２００６−９９０１９号公報
【発明の概要】
【発明が解決しようとする課題】
【０００６】
しかしながら、上記の視野枠体の保持方法では、視野枠体を保持するための部品の数が多く、組み立て工数が多いので、ファインダ装置の製造コストが増大していた。
【０００７】
また、視野枠体と接眼光学系が異なる部品で保持されているため、接眼光学系に対する視野枠体の位置精度が悪くなり、所望する画像と実際に撮影された撮影画像との間にズレが生じる場合があった。
【０００８】
本発明は、このような技術的な背景の下になされたもので、その目的は、少ない部品で、且つ高い位置精度で視野枠体を保持できるようにすることにある。
【課題を解決するための手段】
【０００９】
上記目的を達成するため、本発明は、被写体を反映した光が透過する対物光学系と、前記対物光学系で形成された倒立状態の被写体光像を正立像とする正立光学系と、前記正立像を拡大する接眼光学系と、前記接眼光学系により拡大された前記正立像を視認する視野を規定する視野枠体を有するファインダ装置において、前記視野枠体は、当該視野枠体の一方の面が前記対物光学系の方向への位置変動が規制され、他方の面が前記正立光学系の方向への位置変動が規制される形で地板部材により保持されると共に、当該視野枠体は、視野枠用の開口部とは別の開口部を有し、当該別の開口部の面積が変化する形態で前記地板部材により保持されていることを特徴とする。
【発明の効果】
【００１０】
本発明によれば、前記視野枠体は、１つの部品である前記地板部材により、前記対物光学系及び正立光学系の方向、すなわち光軸方向への位置変動が規制される形で保持されている。また、当該視野枠体は、前記別の開口部の面積の変化による弾性力のチャージにより、光軸方向と直交する方向にも位置規制される形で前記地板部材により保持されている。
【００１１】
従って、少ない部品で、且つ高い位置精度で視野枠体を保持することが可能となる。
【図面の簡単な説明】
【００１２】
【図１】本発明の実施の形態に係るファインダ装置の斜視図である。
【図２】図１のファインダ装置の分解斜視図である。
【図３】図１のファインダ装置を対物光学系の光軸位置で水平方向に切断した横断面図である。
【図４】図１のファインダ装置を視野枠体の光軸位置で光軸に沿って鉛直方向に切断した縦断面図である。
【図５】視野枠体を示す図である。
【図６】組立て後の視野枠体を示す図である。
【発明を実施するための形態】
【００１３】
以下、本発明の実施の形態を図面に基づいて説明する。図１は、本発明の実施の形態に係るファインダ装置の斜視図である。図２は、図１のファインダ装置の分解斜視図である。図３は、図１のファインダ装置を対物光学系の光軸位置で水平方向に切断した横断面図である。図４は、図１のファインダ装置を視野枠体の光軸位置で光軸に沿って鉛直方向に切断した縦断面図である。
【００１４】
図１〜図４において、ファインダ装置１００は、光学系として、対物光学系、正立光学系、接眼光学系を有している。対物光学系は、被写体を反映した被写体光像が入射する第１の対物レンズ２、光軸方向に移動可能で且つ成型（変形）可能な第２の対物レンズ３、及び第３の対物レンズ４を有している。
【００１５】
また、対物光学系は、第１〜３の対物レンズ２〜４を透過した被写体光像を正立光学系に導くべく屈折させる、三角プリズム１０を有している。なお、三角プリズム１０の代わりに複数のミラーを用いてもよい。
【００１６】
正立光学系は、対物光学系によって導かれた被写体光像（倒立状態の光像）を反転させて正立像として接眼光学系へ導くためのポロプリズム１１を有している。なお、ポロプリズム１１の代わりに複数のミラーを用いて正立像にすることも可能である。
【００１７】
接眼光学系は、ポロプリズム１１から射出された被写体光像を拡大する接眼レンズ１３を有し、ユーザは、この接眼レンズ１３を介して正立状態の被写体光像を観察することができる。
【００１８】
図１及び図３に示すように、第１の対物レンズ２は、ファインダ地板１（地板部材）に接着固定されている。また、第２の対物レンズ３は、対物光学系の光軸と平行にファインダ地板１に取付けられるガイド軸８（図２参照）により、光軸方向に移動可能に保持されている。また、第２の対物レンズ３をカム部材（図示省略）に対して付勢するために、第２の対物レンズ３とファインダ地板１の間に、付勢バネ６（図２参照）が取付けられている。
【００１９】
第３の対物レンズ４は、対物光学系の光軸と平行にファインダ地板１に取付けられるガイド軸９（図２参照）により、光軸方向に移動可能に保持されている。また、第３の対物レンズ４を上記のカム部材に対して付勢するために、第２の対物レンズ３とファインダ地板１の間に付勢バネ７（図２参照）が取付けられている。なお、ファインダ地板１の図２、図３に示したマスク５は、第１の対物レンズ２と第２の対物レンズ３の間に配置されて、第２の対物レンズ３に装着される。第２の対物レンズ３に装着されたマスク５は、第２の対物レンズ３と共に光軸方向に移動する。
【００２０】
このマスク５の中央部には、第１の対物レンズ２から射出された被写体光像が通過する開口部５ａが形成されている。また、ファインダ地板１の対物レンズ系の横の部分には、オートフォーカス時に補助光を発光するための白色ＬＥＤ１５が取付けられる。
【００２１】
図３に示すように、三角プリズム１０は、三角プリズム室１ｂに収納される。また、図４に示すように、三角プリズム室１ｂ内に収納された三角プリズム１０は、ファインダカバー１２に形成された凸状の押圧部１２ａにより、ファインダ地板１に向かって付勢される。
【００２２】
この三角プリズム１０は、第３の対物レンズ４から射出されて三角プリズム１０の入射面１０ａ（図３参照）に導かれた被写体光像を三角プリズム１０の中に入射し、この入射した被写体光像をプリズム１０の射出面１０ｂから射出するように構成されている。
【００２３】
三角プリズム１０から射出された被写体光像は、ポロプリズム１１の入射面１１ａに導かれる。ポロプリズム１１は、図３に示すように、ポロプリズム室１ｃに収納されている。
【００２４】
図４に示すように、ポロプリズム１１は、ファインダカバー１２に形成された凸状の押圧部１２ｂにより、ファインダ地板１に向かって付勢される。このポロプリズム１１は、三角プリズム１０から射出されてポロプリズム１１の入射面１１ａに導かれた被写体光像をポロプリズム１１内に入射する。
【００２５】
そして、ポロプリズム１１は、入射した被写体光像を３つの反射面を介してポロプリズム１１の射出面１１ｂから射出する。ポロプリズム１１から射出された被写体光像は、接眼レンズ１３の入射面１３ａに導かれる。
【００２６】
図４に示すように、ファインダカバー１２は、ファインダ地板１の三角プリズム室１ｂとポロプリズム室１ｃの上面を覆うように構成されており、上記の押圧部１２ａと１２ｂが形成されている。押圧部１２ａは、三角プリズム１０を対物光学系の光軸と直交する鉛直方向に押圧する。押圧部１２ｂは、ポロプリズム１１を対物光学系の光軸と直交する鉛直方向に押圧する。
【００２７】
接眼レンズ１３は、ファインダ地板１に接着固定されており、接眼レンズ１３の近傍には、ユーザが被写体光像を視認するための接眼部（図示省略）が設けられている。
【００２８】
視野枠体１４には、ファインダユニット１００の視野を規定する矩形状の視野表示開口部１４ａが形成されている。視野枠体１４は、ファインダ地板１に挿着され、三角プリズム１０とポロプリズム１１の間に配置される。
【００２９】
図３、図５に示すように、視野枠体１４は、その第１当接面１４ｄがファインダ地板１の第１当接面１ｄに当接し、第２当接面１４ｅがファインダ地板１の第２当接面１ｅに当接することで、三角プリズム１０の方向への位置変動が規制される。
【００３０】
なお、図５に示したように、視野枠体１４の第１当接面１４ｄと第２当接面１４eは、視野枠体１４の同一の面（一方の面）の対向する両端部に位置している。また、第１当接面１４ｄは、図５の上の方から１／３程度の長さを占め、第２当接面１４eは、図５の下の方から１／３程度の長さを占め、第１当接面１４ｄと第２当接面１４eは、光軸（視野表示枠開口部１４ａの中心）を対称点とする対称な位置関係にある。
【００３１】
また、視野枠体１４は、その第３当接面１４ｆ（図５参照）がファインダ地板１の第３当接面１ｆ（図４参照）に当接することで、ポロプリズム１１の方向への位置変動が規制される。
【００３２】
なお、視野枠体１４の第３当接面１４ｆは、視野枠体１４の第１当接面１４ｄと第１当接面１ｄが位置する面とは反対側の面（他方の面）の端部に位置している。また、第３当接面１４ｆは、第１当接面１４ｄと第１当接面１ｄが位置する辺（両端部）と直交する辺（端部）に位置し、視野表示枠開口部１４ａの対向する辺の長さよりも長い位置を占めている。
【００３３】
このように、視野枠体１４は、ファインダ地板１の３箇所の当接面によって、三角プリズム１０、及びポロプリズム１１の方向、すなわち光軸方向への位置変動が規制される。
【００３４】
さらに、図６に示すように、視野体枠１４は、ファインダ地板１に挿着された際に、視野枠体１４の突起部１４ｂにより、ファインダ地板１の押圧受部１ｇに対して押圧される。
【００３５】
これにより、視野枠体１４の長孔の形状をした第２開口部１４ｃは、その面積が小さくなるように変化し、その面積変化に伴って弾性力がチャージされる。これにより、視野枠体１４は、ファインダ地板１の第４当接面１ｈに押圧され、三角プリズム１０から射出する被写体光像の光軸と直交する水平方向への位置変動が規制される。
【００３６】
なお、図４、図５に示すように、第２開口部１４ｃは、視野枠用の開口部である視野表示開口部１４ａとは別に形成されたものであり、その形状は長孔状であり、その長手方向は、ファインダ地板１との対向面と平行な方向となっている。
【００３７】
また、突起部１４ｂは、長孔状の第２開口部１４ｃの中央部分に対応する位置に形成されている。これは、第２開口部１４ｃにより発生する上記の弾性力が、図６の水平方向、すなわち第４当接面１ｈに９０度で作用する方向に発生するようにすることで、視野枠体１４が上記の弾性力で図６の上の方向にズレないようにするためである。
【００３８】
さらに、図４に示すように、ファインダ地板１に視野枠体１４を挿着した後にポロプリズム１１をファインダ地板１に挿着することにより、三角プリズム１０から射出する被写体光像の光軸と直交する鉛直方向への位置変動が規制される。
【００３９】
このように、視野枠体１４の光軸方向及び光軸と直交する方向への位置変動を規制することで、ユーザが接眼部から視認する被写体光像は、光軸方向及び光軸方向と直交する方向に対して常に一定位置のものとなり、撮影画像との間で位置ズレが起こることはない。
【００４０】
また、視野枠体１４は、ファインダ地板１のみで保持されており、複数の部品で保持されてはいないので、視野枠体１４を保持するための部品の数と組立て工数を低減させることができ、ファインダ装置１００の製造コストを低減させることができる。
【００４１】
さらに、視野枠体１４は、対物光学系、正立光学系、接眼光学系と共にとファインダ地板１に保持されているため、位置精度が高くなり、この点でも、ユーザが接眼部から視認する被写体光像と撮影画像との間で位置ズレが起こることはなくなる。
【００４２】
なお、本発明は、上記の実施の形態に限定されることなく、例えば、正立光学系は、１つのポロプリズムではなく、複数のミラー又はプリズムで構成することも可能である。また、上記の実施の形態において示した各部の具体的な形状及び構造は、何れも本発明を実施する際の具体化の一例を示したものにすぎず、これらによって本発明の技術的範囲が限定的に解釈されることがあってはならないものである。
【符号の説明】
【００４３】
１００…ファインダ装置
１…ファインダ地板
１ｄ…第１当接面
１ｅ…第２当接面
１ｆ…第３当接面
１ｇ…ファインダ地板押圧部
１ｈ…第４当接面
２…第１の対物レンズ
３…第２の対物レンズ
４…第３の対物レンズ
１０…三角プリズム
１１…ポロプリズム
１３…接眼レンズ
１４…視野枠体
１４ａ…視野表示開口部
１４ｂ…視野枠体突起部
１４ｃ…視野枠体第２開口部
１４ｄ…第１当接面
１４ｅ…第２当接面
１４ｆ…第３当接面
【図１】
2010190983.tif 000003
【図２】
2010190983.tif 000004
【図３】
2010190983.tif 000005
【図４】
2010190983.tif 000006
【図５】
2010190983.tif 000007
【図６】
2010190983.tif 000008